(57)【要約】【課題】  ディスク搬送時にディスクを傷つけることなく安定して搬送できる「ディスク装置」を提供する。【解決手段】  回転駆動手段２０が設けられたドライブベース１１には、ガイド部材３５が回動自在に支持されている。ガイド部材３５は、駆動ユニット１０が外部シャーシ１Ａ内においてディスク待機モードに設定されたときに突出するように制御される。ディスクＤが搬送ローラ２８で送り込まれると、前記ディスクＤの外周縁部がガイド部材３５に当接して、前記ディスクＤが傾くのが規制され、ディスクＤを水平に維持したまま搬送できる。【選択図】図８
2005129106.tif 000002
【特許請求の範囲】
【請求項１】
ディスクを挟持してディスクに搬入力を与える搬送手段と、前記搬送手段によって搬入されたディスクを支持して前記ディスクに回転力を与える回転駆動手段と、前記回転駆動手段を支持するドライブベースとが設けられたディスク装置において、
前記ディスクが回転駆動手段に装着されるのを待つ待機モードで、前記ドライブベースは、前記搬送手段側を支点としてそれよりもディスク搬入方向前方が搬入中のディスクから離れる方向へ傾くように設定され、
前記待機モードのときに、前記ドライブベースからディスクの方向へ立ち上がり、ディスクが前記回転駆動手段に支持されたときに前記ディスクから離れて前記ドライブベース側へ退避するガイド部材が設けられており、前記ガイド部材の前記ドライブベースからの立ち上がり高さは、ディスク挿入方向の前方がその後方よりも高いことを特徴とするディスク装置。
【請求項２】
前記ガイド部材が立ち上がったときに、このガイド部材の上縁部は、ディスクの搬入方向に沿って連続的に延びている請求項１記載のディスク装置。
【請求項３】
前記ガイド部材の上縁部は、回転駆動手段の回転中心を通りディスクの搬入方向と直交する方向に延びる横中心線上にその一部が位置している請求項１または２記載のディスク装置。
【請求項４】
前記ガイド部材は、その基端部が前記ドライブベースに回動自在に支持されている請求項１ないし３のいずれかに記載のディスク装置。
【請求項５】
前記ガイド部材は、その基端が前記ドライブベースに対してディスクの搬入方向に延びる軸を介して回動自在に支持されている請求項４記載のディスク装置。
【請求項６】
前記ディスクを前記回転駆動手段にクランプするクランプ手段と、このクランプ手段を前記回転駆動手段に向けて移動させるクランプ設定部材が設けられており、前記クランプ設定部材が前記ドライブベースへ向けて相対的に移動するときの移動力により、前記ガイド部材がディスクから離れる方向へ退避させられる請求項１ないし５のいずれかに記載のディスク装置。
【発明の詳細な説明】
【技術分野】
【０００１】
本発明は、ディスクを挟持して搬入力を与える搬送手段が設けられたディスク装置に係り、特にディスクの搬入方向の前方が大きく振れるのを防止するガイド部材が設けられたディスク装置に関する。
【背景技術】
【０００２】
車載用などのディスク装置では、挿入口から挿入されたディスクが搬送ローラで挟持されて装置内方へ搬入されて、ディスクの中心がターンテーブルに設置され、ディスクがクランパでターンテーブルに押し付けられる。
【０００３】
この種のディスク装置は、装置内で挿入口の内側に前記搬送ローラが位置し、この搬送ローラの搬送力により搬入されるディスクの搬入方向前方に前記ターンテーブルが位置している。
【０００４】
そのため、前記搬送ローラの回転力でディスクが装置内に搬入されていく際に、ディスクの中心が搬送ローラを過ぎたあたりから、ディスクの搬入方向の前方部分が自由状態となって上下に大きく触れやすくなり、ディスクの搬入方向の前端が装置内の他の部材に当たってディスクを痛めたり、さらにはディスクの搬入方向の限界位置を決めるためのストッパからディスクの搬入方向の前縁が外れてしまい、ディスクを正確な装填位置で停止制御できない、などの問題が生じるおそれがある。
【０００５】
以下の特許文献１に記載のディスク装置では、ターンテーブルが支持されているシャーシと、クランパを支持するクランプアームとの間に、ガイドワイヤが設けられている。クランプアームがシャーシから離れる位置へ移動してディスクのクランプが解除されるときに、前記ガイドワイヤの上端がクランプアームで持ち上げられて、ガイドワイヤがシャーシの表面から斜めに立ち上がる。また、クランプアームがシャーシの方向へ回動して、ディスクがターンテーブルとクランパとで挟持されると、ガイドワイヤはシャーシに向けて倒れて、ディスクから離れる。
【０００６】
前記ディスク装置では、ターンテーブルにクランプされていたディスクの前記クランプが解除されると、斜めに立ち上がるガイドワイヤによってディスクの装置内方側の端部が持上げられることで、ディスクをターンテーブルから確実に放すことができ、ディスクを搬送ローラで挟持して搬出することができるようになる。
【特許文献１】特許第２６１４７８５号公報
【発明の開示】
【発明が解決しようとする課題】
【０００７】
しかし、上記特許文献１に示す装置での前記ガイドワイヤは、ディスクのクランプが解除されたときに、ディスクの装置奥側の端部を持ち上げて、ディスクの中心をターンテーブルから外れる位置へ持ち上げることを目的として設けられている。そのために、前記ガイドワイヤが、ターンテーブルよりも装置奥側を起点として、シャーシの表面から斜めに立ち上がるものとなっている。
【０００８】
そのため、搬入されるディスクの挿入方向の前端がガイドワイヤに当たったときに、ガイドワイヤとの当たりが、挿入抵抗としてディスクに作用しやすい。すなわち、前記特許文献１に記載のものは、クランプを解除したディスクをターンテーブルから持ち上げる機能に優れている反面、搬入されてくるディスクの先部の案内としては不十分である。
【０００９】
本発明は上記従来の課題を解決するものであり、搬送手段で挟持されてディスクが搬入されていくものにおいて、ディスクがスムースに搬入されるようにこのディスクを案内するガイド部材を用いたディスク装置を提供することを目的としている。
【課題を解決するための手段】
【００１０】
本発明は、ディスクを挟持してディスクに搬入力を与える搬送手段と、前記搬送手段によって搬入されたディスクを支持して前記ディスクに回転力を与える回転駆動手段と、前記回転駆動手段を支持するドライブベースとが設けられたディスク装置において、
前記ディスクが回転駆動手段に装着されるのを待つ待機モードで、前記ドライブベースは、前記搬送手段側を支点としてそれよりもディスク搬入方向前方が搬入中のディスクから離れる方向へ傾くように設定され、
前記待機モードのときに、前記ドライブベースからディスクの方向へ立ち上がり、ディスクが前記回転駆動手段に支持されたときに前記ディスクから離れて前記ドライブベース側へ退避するガイド部材が設けられており、前記ガイド部材の前記ドライブベースからの立ち上がり高さは、ディスク挿入方向の前方がその後方よりも高いことを特徴とするものである。
【００１１】
本発明のディスク装置は、ディスクの搬入を待機する待機モードにおいて、ドライブシャーシの装置奥側が、搬入されるディスクから離れるように傾くものであり、搬入されるディスクは回転駆動装置の直近を移動していく薄型化のディスク装置に好適なものである。このディスク装置において、ドライブベースが斜めの姿勢となったときに、ガイド部材は、その奥側がドライブベースの表面から大きく立ち上がるため、ディスクは適正な高さで前記ガイド部材に継続的に案内されて搬入されていくようになる。したがって、ディスクの搬入と搬出動作が安定する。
【００１２】
本発明は、前記ガイド部材が立ち上がったときに、このガイド部材の上縁部は、ディスクの搬入方向に沿って連続的に延びている。
【００１３】
この構造では、搬入されるディスクが前記ガイド部材で継続して案内されていくようになり、ディスクの搬入動作と搬出動作を安定させることができる。
【００１４】
また、本発明は、前記ガイド部材の上縁部は、回転駆動手段の回転中心を通りディスクの搬入方向と直交する方向に延びる横中心線上にその一部が位置している。
【００１５】
このように構成すると、搬入されるディスクが回転駆動手段に当たることがなく、常に回転駆動手段と距離を空けて搬入されるようになる。
【００１６】
例えば、前記ガイド部材は、その基端部が前記ドライブベースに回動自在に支持されているものとして構成できる。
【００１７】
この場合に、前記ガイド部材は、その基端が前記ドライブベースに対してディスクの搬入方向に延びる軸を介して回動自在に支持されていると、ガイド部材の立ち上がり動作が安定すると共に、このガイド部材を立ち上げ、退避方向に駆動する駆動部材の移動量が小さくても、ガイド部材の立ち上がり高さを十分確保できる。
【００１８】
また、本発明は、前記ディスクを前記回転駆動手段にクランプするクランプ手段と、このクランプ手段を前記回転駆動手段に向けて移動させるクランプ設定部材が設けられており、前記クランプ設定部材が前記ドライブベースへ向けて相対的に移動するときの移動力により、前記ガイド部材がディスクから離れる方向へ退避させられるものとして構成できる。
【発明の効果】
【００１９】
本発明は、ドライブシャーシの奥側がディスクから離れた状態でディスクが搬入されるものにおいて、搬送手段で挟持されて搬入されていくディスクが、常に安定した高さ位置で搬入されていくようになる。よってディスクの搬入側の先部が他の部材に当たることが無く、このディスクを搬入方向の限界位置を決めるストッパに確実に当接させることができ、またガイド部材からディスクに与えられる搬入抵抗力も小さい。
【発明を実施するための最良の形態】
【００２０】
図１は本発明の第１の実施の形態のディスク装置に設けられる駆動ユニットの一例を示す分解斜視図、図２はディスク搬入待機モードでの駆動ユニットにおけるガイド部材の突出状態を示す斜視図、図３は前記ディスク搬入待機モードでの駆動ユニットの平面図、図４は図３をIV矢視方向から見た背面図、図５はディスク駆動モードでのガイド部材の退避状態を示す平面図、図６は図５をＶＩ矢視方向から見た背面図、図７ないし図１０は駆動ユニットが外部シャーシに収められた状態を示すものであり、図７と図９は動作別の側面図、図８と図１０は動作別の断面図である。
【００２１】
図４および図７ないし図１０には、ディスク装置１の全体構成が示されている。このディスク装置１にはＣＤ（コンパクトディスク）やＤＶＤ（デジタルバーサタイルディスク）などのディスクＤが装填可能である。前記ディスク装置１は、テーププレーヤやメモリ装置などの他の記録媒体駆動装置や、チューナやアンプを搭載した回路基板などとともに、例えば車載用機器の１ＤＩＮサイズの大きさの図示しない筐体内に収納される。
【００２２】
この場合の前記筐体の前面には、液晶表示パネルや各種スイッチ類を有するノーズ部が設けられ（図示せず）、前記ノーズ部に幅方向（Ｘ方向）に延びるスリット状の開口部が設けられ、ディスクＤがこの開口部を通じてディスク装置１に装填可能となる。
【００２３】
前記ディスク装置１は、図７ないし図１０に示す外部シャーシ１Ａと、この外部シャーシ１Ａに収納された駆動ユニット１０（図１参照）とを有している。図７ないし図１０に示すように、外部シャーシ１Ａは、上部ベース２と下部ベース３とで箱状に組み合わされている。外部シャーシ１ＡのＹ２側には、前記ノーズ部の開口部の内側に対向して、ディスクＤが挿入され且つ排出される挿入口９が開口している。
【００２４】
図１に示すように、駆動ユニット１０は、ドライブベース１１と、このドライブベース１１の上部を覆うトップシャーシ１２とを有している。
【００２５】
前記ドライブベース１１のほぼ中央部分には回転駆動手段２０が設けられている。図８と図１０に示すように、前記回転駆動手段２０では、前記ドライブベース１１の下面にスピンドルモータ２６が固定されており、このスピンドルモータ２６の回転軸２６ａがドライブベース１１の上面から突出し、この回転軸２６ａにターンテーブル２２が固定されている。図１と図２に示すように、前記ドライブベース１１には、対物レンズ３１ａを有するヘッド部３１が設けられている。前記ヘッド部３１はターンテーブル２２に載置されたディスクＤの記録面に沿って移動自在に案内されており、前記ドライブベース１１には、前記ヘッド部３１を移動させるスレッド機構（図示せず）が搭載されている。
【００２６】
前記トップシャーシ１２には、クランプ手段３０が設けられている。トップシャーシ１２は、ドライブベース１１に対する相対的な昇降動作によって、前記クランプ手段３０をクランプ状態とクランプ解除状態に設定するクランプ設定手段として機能している。
【００２７】
このクランプ手段３０は、クランパ２３とクランプアーム２４を有し、前記クランプアーム２４の先部に前記クランパ２３が回転自在に支持されている。クランプアーム２４は、Ｙ１側の基端部が前記トップシャーシ１２に回動自在に支持されており、トーションコイルバネなどで形成された付勢ばね２５により前記クランプアーム２４は時計方向へ、すなわちクランパ２３が下降する向きに常に付勢されている。
【００２８】
前記ドライブベース１１には、Ｙ１側の左右両側部に支持ピン４，４が固定されており、図８と図９に示す前記上部ベース２に固定されたダンパー（弾性支持部材）５に前記支持ピン４，４が弾性支持されている。またトップシャーシ１２のＹ２側に支持ピン６が固定されており、この支持ピン６は、下部ベース３に固定されたダンパー（弾性支持部材）７に弾性支持されている。
【００２９】
前記ダンパー５，７はゴムなどの可撓性の袋の内部にオイルなどの流体が封入されているものである。図６、図９および図１０に示すディスク駆動モードでは、駆動ユニット１０が前記ダンパー５，７により弾性支持されて、車体振動などの外部振動が与えられても、駆動中のディスクＤなどに振動が直接伝わることがなく、再生音の音飛びなどが発生するのを防止できるようになっている。
【００３０】
図１に示すように、前記ドライブベース１１のＹ２側の両側部には、連結軸１３，１３が固定されており、この連結軸１３，１３は、トップシャーシ１２の両側部に形成された連結穴１４，１４に回動自在に挿入されている。その結果、図８に示すように、前記ドライブベース１１が、前記トップシャーシ１２に対して前記連結軸１３，１３を支点として回動できるようになっている。前記連結軸１３，１３は、ドライブベース１１の手前側（Ｙ２側）に設けられているため、ドライブベース１１は、ディスクＤの搬入方向前方がトップシャーシ１２から離れるような傾斜姿勢に向けて回動自在である。
【００３１】
図１に示すように、トップシャーシ１２の左右両側部にはロック部材１８，１８が設けられている。このロック部材１８，１８には、支持穴１８ａ，１８ａが形成されており、トップシャーシ１２の左右両側面に設けられた支持軸１９，１９に前記支持穴１８ａ，１８ａが挿通されて、トップシャーシ１２の側面において、ロック部材１８，１８が回動自在に支持されている。
【００３２】
図１および図７と図９に示すように、前記ロック部材１８，１８には長穴１８ｂ，１８ｂが形成されている。前記ドライブベース１１の左右両側部では、前記支持軸１３，１３よりもやや後方にロック軸２１，２１が固定されており、このロック軸２１，２１が前記長穴１８ｂ，１８ｂに挿通されている。
【００３３】
図１と図２に示すように、前記ドライブベース１１のＹ１側には、切換えスライダー１５がＹ方向に移動自在に支持され、ドライブベース１１に搭載された図示しないモード切換モータにより切換えスライダー１５がＹ１方向とＹ２方向へ駆動される。前記切換えスライダー１５の上部には、側方へ突出する切換え軸１６が固定されている。図７と図９に示すように、前記切換え軸１６は、前記トップシャーシ１２の側板に形成された傾斜孔１７に摺動自在に挿入される。図７に示すように、前記切換えスライダー１５がＹ１方向へスライドして、前記切換え軸１６が前記傾斜孔１７の内部をＹ１方向の端部まで移動すると、前記ドライブベース１１は、図８に示すようにディスク搬入方向の前方（Ｙ１側）がトップシャーシ１２から離れるように傾斜させられる。
【００３４】
図７に示すように、前記ドライブベース１１はＹ１側部分が下がるように傾斜すると、ドライブベース１１に設けられたロック軸２１によって、ロック部材１８が反時計方向へ回動させられる。その結果、ロック部材１８の前端１８ｃが上部ベース２の下面に圧接され、ロック部材１８の後端１８ｄが下部ベース３の上面に圧接されて、駆動ユニット１０は、上部ベース２と下部ベース３に対してロックされた状態となる。
【００３５】
このとき、クランプ設定手段であるトップシャーシ１２が前記ドライブベース１１から上方へ離れ、前記トップシャーシ１２に設けられたクランパ２３がターンテーブル２２から離れて、ディスクＤをクランプしていないディスク搬入待機モードが設定される。このとき、ターンテーブル２２とクランパ２３との間にディスクＤの搬送路が形成される。
【００３６】
前記筐体に設けられた開口部と、前記挿入口９を経て、外部シャーシ１Ａ内にディスクＤが挿入され、このディスクが後述する搬送手段によって所定位置まで搬送されたことが図示しない検出手段によって検知されると、ドライブベース１１に設けられた切換えスライダー１５がＹ２方向へ移動させられる。このとき、図９に示すように、切換えスライダー１５に設けられた切換え軸１６が、トップシャーシ１２に形成された傾斜孔１７内をＹ２側へ移動する。これにより、図１０に示すように、トップシャーシ１２とドライブベース１１とが接近させられ、トップシャーシ１２に設けられたクランパ２３でディスクＤの中心穴Ｄａの周辺が、ターンテーブル２２に押し付けられて、ディスクＤがターンテーブル２２にクランプされる。
【００３７】
このとき、図９に示すように、ドライブベース１１に設けられたロック軸２１とトップシャーシ１２に設けられた支持軸１９とがＺ方向において接近するため、ロック部材１８が、支持軸１９を支点として時計方向へ回動させられ、ロック部材１８の前端１８ｃが上部ベース２から離れ、ロック部材１８の後端１８ｄが下部ベース３から離れる。よって、駆動ユニット１０は、ロックが解除され、外部シャーシ１Ａ内においてダンパー５，７で弾性的に支持された状態となる。
【００３８】
図７ないし図１０に示すように、トップシャーシ１２のディスク搬入方向手前側には、ローラアーム２７が設けられている。このローラアーム２７はその後端部が支持軸２７ａによってトップシャーシ１２に回動自在に支持されている。ローラアーム２７のディスク搬入方向の前端には、搬送手段としての搬送ローラ２８のローラ軸２８ａが回転自在に支持されている。前記ロック部材１８には制御穴１８ｅが形成されており、前記ローラ軸２８ａはこの制御穴１８ｅ内に挿入されて支持されている。
【００３９】
搬送ローラ２８は、ゴムなどの摩擦係数の高い材料で、幅方向（Ｘ方向）に延びる長尺の円筒形状に形成されて、その直径は中間部分で細く、両端部分に向かうにしたがって徐々に太くなっている。
【００４０】
図７と図８に示すディスク搬入待機モードでは、ロック部材１８が反時計方向へ回動しているため、前記制御穴１８ｅによってローラ軸２８ａが持ち上げられている。この状態でディスクＤが外部シャーシ１Ａの挿入口９からＹ１方向へ挿入されると、前記搬送ローラ２８とこれに対向する対向部材（図示せず）とで前記ディスクＤが挟持される。
【００４１】
図９と図１０に示すディスク駆動モードでは、ロック部材１８が時計方向へ回動させられているため、ロック部材１８に形成された制御穴１８ｅによってローラ軸２８ａが下降させられ、搬送ローラ２８が、ターンテーブル２２にクランプされているディスクＤから離れる。
【００４２】
図１ないし図３および図５に示すように、前記ドライブベース１１にはガイド部材３５が設けられている。このガイド部材３５は全体が合成樹脂材料で形成されており、ディスクの搬入方向に延びるガイド部３５ａと、前記ガイド部３５ａのＹ１側とＹ２側の端部に形成された取付部３５ｂ，３５ｃとを有している。図５に示すように、前記取付部３５ｂ，３５ｃは、ともにディスク搬入方向（Ｙ方向）に伸びる回動軸３５ｂ１，３５ｃ１を介して前記ドライブベース１１に回動自在に支持されている。
【００４３】
図５と図６に示すように、ガイド部３５ａがドライブベース１１に向けて倒れ込む退避状態では、このガイド部３５ａが、ドライブベース１１に形成された収納凹部１１ａ内に収まる。図２、図３および図４に示すように、前記ガイド部材３５は、ドライブベース１１の表面から上方（Ｚ１方向）へ向けて立ち上がるように回動することで、ディスクＤを案内可能な状態となる。なお、ガイド部材３５とドライブベース１１との間には、前記ガイド部材３５が、図４の立ち上がり状態において、それ以上時計方向へ回動するのを防止するストッパ（図示せず）が設けられている。
【００４４】
ガイド部材３５が立ち上がったディスクＤを案内可能な状態では、ガイド部３５ａの上縁部３５ａ１がＹ方向に向けて所定距離連続して延びる。この場合に、前記上縁部３５ａ１は、Ｙ１側がディスクＤの搬送経路の中心線Ｓ−Ｓ（図３参照）に近づくように傾きを有して延びている。
【００４５】
図３に示すように、前記ガイド部３５ａおよび上縁部３５ａ１は、ターンテーブル２２の回転中心を通りディスク搬入方向と直交するＸ方向に延びる横中心線Ｏｘの上に存在し、好ましくは、前記横中心線Ｏｘよりも挿入口９側に寄った位置を起点としてＹ１方向へ延びている。さらに、ディスクＤがＹ１方向へ搬入されるときに、ディスクＤの一部がターンテーブル２２の回転中心を通過したときを起点として、ディスクＤの中心がターンテーブル２２の中心に一致するまでの間、前記ガイド部３５ａの上縁部３５ａ１が常にディスクＤのいずれかの部分に対向していることが好ましい。
【００４６】
図５に示すように、回動軸３５ｂ１から、上縁部３５ａ１のＹ２側の端部までの高さＨ２よりも、回動軸３５ｃ１から、上縁部３５ａ１のＹ１側の端部までの高さＨ１の方が大きく、ガイド部３５ａが図４に示すようにディスクＤを案内可能な状態に立ち上がったときの、ドライブベース１１の表面からの上縁部３５ａ１の立ち上がり高さは、Ｙ１側がＹ２側よりも高くなっている。すなわち、ガイド部材３５が立ち上がった状態で、上縁部３５ａ１は、Ｙ１方向に向かうにしたがって、ドライブベース１１の表面からの立ち上がり高さが徐々に高くなるように傾斜する立ち上がり姿勢となる。
【００４７】
図８に示すように、ディスク挿入待機モードでは、ドライブベース１１は、連結軸１３を支点としてＹ１側がトップシャーシ１２から離れる傾斜姿勢に回動するが、このとき、前記ガイド部３５ａが案内可能状態に立ち上がると、前記上縁部３５ａ１は、上部ベース２の上面とほぼ平行な水平状態、またはＹ１方向に向かうにしたがって上部ベース２の上面に徐々に近づくような傾斜状態となる。
【００４８】
図３ないし図６に示すように、ガイド部材３５のＹ１側の端部には、前記ガイド部３５ａに対してＵ字状に連続する弾性押圧部３６が一体に形成されている。この弾性押圧部３６は弾性変形可能であり、その一端が自由状態となっている。図４と図６に示すようにガイド部材３５のＸ２側の端部には、係止部３７が一体に形成されており、この係止部３７とドライブベース１１との間にはコイルばねで形成された付勢部材（付勢手段）３８が掛けられている。
【００４９】
ガイド部材３５に外力が作用していない自由状態では、前記付勢部材３８の弾性付勢力によって、ガイド部材３５が図４に示すような立ち上がり状態となる。この立ち上がり姿勢では、ガイド部３５ａがドライブベース１１の表面に対して９０度以下の角度を有して斜めに立ち上がる。また、図１０に示すように、ディスク駆動モードにおいてトップシャーシ１２がドライブベース１１に相対的に接近すると、トップシャーシ１２によって前記弾性押圧部３６の自由端部がＺ２方向へ押されて、前記ガイド部材３５が図６に示す退避状態に回動する。
【００５０】
次に、本発明のディスク装置の動作について説明する。
図３と図４および図７と図８に示すディスク搬入待機モードでは、ドライブベース１１に設けられた切換えスライダー１５およびこれに設けられた切換え軸１６がＹ１方向へ駆動されて、切換え軸１６が前記トップシャーシ１２の側板に形成された傾斜孔１７のＹ１側の端部に移動する。よって、ドライブベース１１は連結軸１３を支点としてＹ１側がトップシャーシ１２から離れる傾斜姿勢となり、トップシャーシ１２に支持されたクランパ２３とターンテーブル２２とが離れ、クランパ２３とターンテーブル２２との間にディスクＤを搬入するための空間が形成される。
【００５１】
このとき、トップシャーシ１２がガイド部材３５の弾性押圧部３６から相対的に離れる方向へ移動するため、ガイド部材３５は、付勢部材３８の付勢力によりドライブベース１１から立ち上がる。図８に示すように、ガイド部材３５のガイド部３５ａの上縁部３５ａ１は、ドライブベース１１の上面から斜めに立ち上がるため、前記上縁部３５ａ１は、ほぼ水平姿勢あるいはＹ１方向に向けてわずかに持ち上がる緩い傾斜姿勢となる。
【００５２】
ディスク搬入待機モードでは、図７に示すように、ドライブベース１１に設けられたロック軸２１によって前記ロック部材１８が反時計方向へ回動させられて、ロック部材１８の両端が外部シャーシ１Ａの上下内面に当接して、駆動ユニット１０が外部シャーシ１Ａ内でロック状態になる。またロック部材１８の回動動作によって、ローラアーム２７が時計方向へ回動させられ、搬送ローラ２８と対向部材とが圧接してディスクＤを搬送可能な状態となる。図８に示すように、このときの搬送ローラ２８の上面および、ガイド部材３５の上縁部３５ａ１は、共にターンテーブル２２よりも上方（トップシャーシ１２に近い位置）に位置している。
【００５３】
ディスク搬入待機モードにおいて、筐体のスリット状の開口部および挿入口９からディスクＤが挿入されて、図示しない検知手段によって検知されると、前記搬送ローラ２８が反時計回り方向へ回転駆動されて、ディスクＤが前記搬送ローラ２８と対向部材とで挟持されてＹ１方向へ搬入されていく。
【００５４】
このとき、ディスクＤは、搬送ローラ２８の高さ位置で搬入されるが、ターンテーブル２２の側方からＹ１方向へ向けてガイド部材３５の上縁部３５ａ１が延びているため、ディスクＤの搬入方向の先端がターンテーブル２２に当たることがなく、Ｙ１方向へ向けて搬入されていく。ディスクＤの中心が搬送ローラ２８を越えたあたりから、ディスクＤの搬入方向の先部が自重でＺ２方向へ傾こうとするが、ガイド部材３５の上縁部３５ａ１がほぼ水平姿勢に延びているために、ディスクＤは前記上縁部３５ａ１に案内されて、その高さ位置が大きく変化することなく維持されたままＹ１方向へ搬入されていく。
【００５５】
例えば、搬入途中のディスクＤの挿入口９からＹ２方向へ突出している部分が誤って上向きに押されると、搬入中のディスクＤのＹ１方向の先端部がＺ２方向へ大きく傾く。しかし、図４に示すようにガイド部材３５はドライブベース１１の表面から斜めに立ち上がるように付勢部材３８で付勢されているため、ディスクＤからガイド部材３５の上縁部３５ａ１にＺ２方向への押圧力が作用すると、ガイド部材３５が付勢部材３８の付勢力に対向してドライブベース１１に向けて倒れるように変位できる。そのため、ディスクＤがガイド部材３５に当たることにより搬入方向の負荷が増大することがなく、ディスクＤが抵抗無く搬入されるようになる。
【００５６】
図３に示すように、搬入されるディスクＤの中心がターンテーブル２２の回転中心にほぼ一致したときに、トップシャーシ１２から下向きに延びる位置決めストッパ４０（図１参照）に、ディスクＤの搬入方向の先端が当たって、ディスクＤの搬入位置が決められる。このとき、ガイド部材３５の上縁部３５ａ１のＹ１側端部が、位置決めストッパ４０の下端よりも上側（Ｚ１側）に位置しており、ディスクＤの下面がガイド部材３５で案内されているため、ディスクＤが位置決めストッパ４０から下方へ外れることがなく、ディスクＤが確実に搬入の終点において位置決めされる。
【００５７】
図４の状態では、ディスクＤの下面が前記ガイド部材３５の上縁部３５ａ１に案内され、ガイド部材３５から一体に延びる弾性押圧部３６は、ディスクＤの縁部に当たることなくディスクＤの上面からさらに上方位置に延びるようになる。
【００５８】
図４に示すように、ディスクＤの中心がターンテーブル２２上に一致したことが図示しない検出手段で検出されると、ドライブベース１１に設けられた切換えスライダー１５および切換え軸１６がＹ２方向へ移動し、図９に示すように、切換え軸１６が前記トップシャーシ１２の側板に形成された傾斜孔１７のＹ２側の端部に移動する。よって、図１０に示すように、トップシャーシ１２とドライブベース１１とが相対的に接近し、ディスクＤの中心穴の周辺がターンテーブル２２とクランパ２３とで挟持されてディスクＤがクランプされる。
【００５９】
このディスク駆動モードでは、図６に示すように、トップシャーシ１２でガイド部材３５の弾性押圧部３６が押圧されて、ガイド部材３５は、ガイド部３５ａがディスクＤから離れ、ドライブベース１１の表面と平行な退避状態となる。このとき、弾性押圧部３６は、ディスクＤの上面からさらに上方に離れて位置しており、ターンテーブル２２にクランプされたディスクＤが、ガイド部材３５のいずれの部分にも当たらないようになっている。
【００６０】
ガイド部材３５とドライブベース１１との間には、ガイド部材３５が図６の状態からさらに反時計方向へ回動できないようにストッパが設けられている。ガイド部材３５が前記ストッパで止められている状態で、トップシャーシ１２から弾性押圧部３６が押圧されたときに、弾性押圧部３６が弾性変形するため、ガイド部材３５が前記押圧力で損傷を受けることがない。
【００６１】
また、ディスク駆動モードでは、図９に示すように、ドライブベース１１に設けられたロック軸２１によりロック部材１８が時計方向へ回動し、外部シャーシ１Ａから離れて、駆動ユニット１０がダンパー５，７で弾性支持された状態となる。
【００６２】
また、ロック部材１８によってローラアーム２７が反時計方向へ回動させられて、前記搬送ローラ２８がディスクＤから離れて下方へ移動する。
【００６３】
そして、スピンドルモータ２６の動力でターンテーブル２２と共にディスクＤが回転駆動され、ヘッド部３１によりディスクＤに記録された信号の再生や、ディスクＤへの信号の記録が行われる。
【００６４】
また、ディスクＤを排出する場合には、前記切換えスライダー１５と切換え軸１６とがＹ１方向へ駆動されて、図８に示すディスク搬入待機モードが設定される。このとき、クランパ２３がディスクＤから離れてディスクＤのクランプが解除される。また搬送ローラ２８と、ガイド部材３５の上縁部３５ａ１とで、ディスクＤがほぼ水平姿勢に持上げられて、搬送ローラ２８の回転力で、ディスクＤが挿入口９から搬出される。
【図面の簡単な説明】
【００６５】
【図１】本発明の実施の形態のディスク装置の駆動ユニットを示す分解斜視図、
【図２】駆動ユニットのドライブベースがディスク挿入待機モードに設定されている状態を示す斜視図、
【図３】ディスク搬入待機モードのときのドライブベースを示す平面図、
【図４】図３のＩＶ矢視方向から見た背面図、
【図５】ディスク駆動モードのときのドライブベースを示す平面図、
【図６】図５のＶＩ矢視方向から見た背面図、
【図７】ディスク搬入待機モードのときのディスク装置を示す側面図、
【図８】ディスク搬入待機モードのときのディスク装置を示す断面図、
【図９】ディスク駆動モードのときのディスク装置を示す側面図、
【図１０】ディスク駆動モードのときのディスク装置を示す断面図、
【符号の説明】
【００６６】
１  ディスク装置
１Ａ  外部シャーシ
２  上部ベース
３  下部ベース
４，６  支持ピン
５，７  ダンパー（弾性支持部材）
１０  駆動ユニット
１１  ドライブベース
１１ａ  収納凹部
１２  トップシャーシ（クランプ設定部材）
１８  ロック部材
２０  回転駆動手段
２２  ターンテーブル
２３  クランパ
２４  クランプアーム
２５  付勢ばね
２６  スピンドルモータ
３０  クランプ手段
３１  ヘッド部
３５  ガイド部材
３５ａ  ガイド部
３５ａ１  上縁部
３５ｂ，３５ｃ  取付部
３５ｂ１，３５ｃ１  回動軸
３６  弾性押圧部
３８  付勢部材
４０  位置決めストッパ
【図１】
2005129106.tif 000003
【図２】
2005129106.tif 000004
【図３】
2005129106.tif 000005
【図４】
2005129106.tif 000006
【図５】
2005129106.tif 000007
【図６】
2005129106.tif 000008
【図７】
2005129106.tif 000009
【図８】
2005129106.tif 000010
【図９】
2005129106.tif 000011
【図１０】
2005129106.tif 000012